(57)【特許請求の範囲】
【請求項１】
顔の若返り装置であって、
水平面上で支持されるように構成される支持台と、
窪みを有し、前記支持台に支持されるベースと、
前記窪みに含まれるベース凹部内へ突出する、少なくとも１つの刺激装置と、
人の顔を受けるように構成されたパッド凹部が形成されている上面を有し、少なくとも１つのパッド呼吸開口が形成されるとともに、前記ベースから分解できるように当該窪みに嵌め込まれ、かつ、前記パッド凹部に近接して前記少なくとも１つの刺激装置が取り外し可能に取り付けられる、柔軟な弾性パッドと、
前記パッドに対し、取り外し可能に嵌め込まれ、かつ前記パッド呼吸開口と向き合わされる少なくとも１つの被覆材呼吸開口を有する、非通気性被覆材と
を備える、顔の若返り装置。
【請求項２】
前記刺激装置は、バイブレータであり、かつ電動式バイブレータである、請求項１に記載の顔の若返り装置。
【請求項３】
前記少なくとも１つの刺激装置は、複数個設けられている、請求項１に記載の顔の若返り装置。
【請求項４】
前記刺激装置は、少なくとも１つが前記装置を使用する人の頬と向き合うように前記パッドに配置される、請求項３に記載の顔の若返り装置。
【請求項５】
前記刺激装置は、少なくとも１つが前記装置を使用する人の額と向き合うように前記パッドに配置される、請求項４に記載の顔の若返り装置。
【請求項６】
前記刺激装置は、少なくとも１つのヒータと、選択されたエリアを刺激する少なくとも１つのバイブレータと、を含む、請求項３から５のいずれか１項に記載の顔の若返り装置。
【請求項７】
前記被覆材は、シリコーンで形成される、請求項１から６のいずれか１項に記載の顔の若返り装置。
【請求項８】
前記ベースは、前記パッド呼吸開口と向き合って外気と連通するベース呼吸開口を含む、請求項１から７のいずれか１項に記載の顔の若返り装置。
【請求項９】
前記ベースは、さらに、前記少なくとも１つの刺激装置を収容するための少なくとも１つのベースの刺激装置開口を含む、請求項８に記載の顔の若返り装置。
【請求項１０】
前記刺激装置は電動式であり、かつ前記ベースは、前記少なくとも１つの刺激装置の動作を制御するための制御ユニットを含む、請求項９に記載の顔の若返り装置。
【請求項１１】
前記ベースは前記支持台に調整可能に取り付けられている、請求項１から１０のいずれか１項に記載の顔の若返り装置。
【請求項１２】
前記パッドは、前記ベース凹部内へ突出した前記一つの刺激装置に向き合う開口を含み、前記開口は、前記一つの刺激装置を受け入れるように構成されている請求項１から１１のいずれか１項に記載の顔の若返り装置。
【発明の詳細な説明】
【関連出願の相互参照】
【０００１】
本出願は、２０１１年８月２６日に提出された米国特許仮出願第６１／５２７，６５１号に対する優先権を主張するものであり、前記特許仮出願の開示内容は全て参照により本明細書に組み込まれる。
【技術分野】
【０００２】
本発明は、顔の皮膚および組織を刺激して若返らせるための装置に関する。
【背景技術】
【０００３】
振動マッサージ装置は、先行技術において周知であり、多くの既知の物品に組み込まれている。このような装置は、概して、筋肉の痛みまたは張りを一時的にでも取り除く必要のある人々、しかもプロの女性マッサージ師を予約する時間や資金のない人々によって使用される。例えば、マッサージチェアおよび椅子用マッサージパッドは、速やかに癒しを与えてくれる人気製品である。マッサージチェアは、内部に一連のバイブレータが配置されていて、電気接続部へ取り付けられる。ユーザには、患部を癒すべく振動の速度または位置を制御するための制御装置が与えられる場合がある。マッサージチェアおよびマッサージパッドは、居心地の悪い姿勢で坐り仕事をすることのある職業人、または激しい活動に携わる人々にとっては理想的である。しかしながら、マッサージチェアおよびマッサージパッドは、背中、首および肩しか癒すことができず、顔のマッサージには効力がない。
【０００４】
顔をマッサージするための製品は、幾つか開発されてきた。概して、これらの装置は、一方の端に少なくとも１つの振動エレメントが配置された手持ち式の棒の形態である。ユーザは、振動エレメントを手によって希望する部位に当て、圧力を加える。顔マッサージ器を用いることには、重要な優位点が幾つか存在する。最も重要な点として、振動によって表面の血流が良くなり、ユーザの顔つきが若返ってより健康的になる。しかしながら、上述の装置には、欠点があった。というのは、これらの装置は、ユーザが手動でエネルギーを加えることを必要とし、典型的にはマッサージによって張りを癒すという品質が軽減されるからである。したがって、手を使わなくてもよい顔のマッサージ装置があれば好適であろう。
【０００５】
また、クリーム、石鹸およびクレンジング剤を局所的に顔に塗る手助けをする、という必要も装置には存在する。典型的には、クリームおよびクレンジング剤には、使用上の注意が付される。すなわち、顔を湿らせた上で、予め決められた量のクリームおよびクレンジング剤で顔を両手、洗顔用クロスまたはヘチマスポンジにより予め決められた時間マッサージし、その後すすぎ落とすように、ということが求められる。あるいは、これらクリームおよびクレンジング剤で顔をマッサージすることについては、手持ち式の顔マッサージ器またはこれに類似するものを用いる場合もある。これらの物質は、概して顔を清潔にしかつ潤いを与える手助けをするが、いくつかの限界もある。第１に、物質を均一に塗って、これを確実に顔の異なる部位に等しく分布させかつマッサージすることは困難である。第２に、マッサージ用エレメントは大型であることが多く、物質を目の周りの部位に傷つけることなく揉み込むことが困難である。目の周りの部位は、皺および他の斑点ができやすく、クレンジング剤または保湿剤を最も必要とするのである。第３に、マッサージ用エレメントは、手によって顔の各部分へ当てなければならず、顔の部位によっては、当たらないところもでてくる可能性が高まる。したがって、現行の手持ち式マッサージ器は、石鹸およびクリームを顔に塗ることに関して理想的ではない。
【発明の概要】
【発明が解決しようとする課題】
【０００６】
上記に鑑みて、本発明の目的は、手を用いることなく顔を刺激し、若返らせかつマッサージするための装置を提供することにある。
【０００７】
本発明のさらなる目的は、手を用いることなく物質で顔をマッサージすることができる装置を提供することにある。
【課題を解決するための手段】
【０００８】
本発明は、顔を刺激し、若返らせかつ／またはマッサージするための装置に関する。
本発明の態様は、顔の若返り装置であって、水平面上で支持されるように構成される支持台と、窪みを有し、前記支持台に支持されるベースと、前記窪みに含まれるベース凹部内へ突出する、少なくとも１つの刺激装置と、人の顔を受けるように構成されたパッド凹部が形成されている上面を有し、少なくとも１つのパッド呼吸開口が形成されるとともに、前記ベースから分解できるように当該窪みに嵌め込まれ、かつ、前記パッド凹部に近接して前記少なくとも１つの刺激装置が取り外し可能に取り付けられる、柔軟な弾性パッドと、前記パッドに対し、取り外し可能に嵌め込まれ、かつ前記パッド呼吸開口と向き合わされる少なくとも１つの被覆材呼吸開口を有する、非通気性被覆材とを備える、顔の若返り装置である。
好ましい態様において、前記少なくとも１つの刺激装置は、複数個設けられており、少なくとも１つのヒータと、選択されたエリアを刺激する少なくとも１つのバイブレータと、を含む。
好ましい態様において、前記パッドは、前記ベース凹部内へ突出した前記一つの刺激装置に向き合う開口を含み、前記開口は、前記一つの刺激装置を受け入れるように構成されている。
【０００９】
本装置は、好ましくは、表面と、裏面と、これらの間に延びる少なくとも１つの側面とを有するパッドを含む。この少なくとも１つの側面は、好ましくは、概ね長方形形状を画定する４つの側面を備える。パッドは、好ましくは、発泡体または他の軟性の弾性材料で製造され、変形可能ではあるが、弾性によって元の特定形状へ戻り得る。パッドの表面は、概して人の顔の形状および大きさに適合する凹部を含む。例えば、パッドの表面における凹部は、概ね楕円形であってもよい。したがって、凹部への顔の挿入が可能である。パッドの発泡体は、凹部を画定するパッド表面の部分と顔とが概ね面接触を達成するように、個々の顔の形に馴染むであろう。パッド表面の凹部からその側面に至るまでは、概ね平坦な部位が延びることがある。パッドの裏面は、任意の形状をとることができる。しかしながら、パッドの厚さが概ね均一であれば、パッドの形成が容易になる場合がある。故に、パッドの裏面は、好ましくは、表面における凹部とは反対の凸状領域を有する。表面から裏面までのパッドの厚さは、好ましくは、約２〜８ｃｍの範囲内である。
【００１０】
好ましくは、パッドには、表面から裏面へと通じる少なくとも１つのパッド呼吸孔が延びる。より具体的には、この少なくとも１つのパッド呼吸孔は、好ましくは、凹部のうち、装置を使用する人の鼻と向き合うことになる部分から延びる。パッドのこの呼吸孔は、装置を使用する人の鼻が心地よく受け入れられるような大きさにもされる。代替として、または追加的に、この少なくとも１つのパッド呼吸孔は、装置を使用する人の口と概ね向き合うように凹部内に配置されてもよい。
【００１１】
パッドは、さらに、顔の皮膚を刺激しかつ／または若返らせるための電気的、電気機械的、液圧的または空気式の手段を収容する少なくとも１つのパッド刺激装置開口、好ましくは複数のパッド刺激装置開口を含む。パッド刺激装置開口は、凹部における表面から裏面へ、または側面へと延びる。好ましくは、刺激および／または若返りのため、目標になる部位と希望されることが予測される顔の複数の部位に概ね位置合わせされるように、複数のパッド刺激装置開口が配置される。例えば、パッド刺激装置開口は、頬、額および／または顎に概ね位置合わせされるように複数が配置されてもよい。パッド刺激装置開口の形状は、本明細書においてさらに後述されるように、使用される特定の刺激装置の形状に合わせて選択される。
【００１２】
好ましくは、顔の若返り装置は、さらに、ベースを含み、その上面は、パッドの側面および裏面のサイズおよび形状に適合する窪みを有する。したがって、パッドをベースの窪みの中に嵌め込むことが可能である。ある好適な実施形態では、窪みは、パッド裏面の凸部に適合する凹部を含む。ベースはさらに、パッド内のパッド呼吸孔と向き合うことになる、少なくとも１つのベース呼吸開口を含む。ベース呼吸孔は、装置を使用する人が自由に呼吸できるように周囲の外と連通する。また、ベースは、好ましくはパッド内の少なくとも１つのパッド刺激装置開口と概ね向き合う少なくとも１つのベースの刺激装置開口も含む。
【００１３】
ベースは、好ましくは、装置を使用する人のサイズおよび／または姿勢に合わせて高さおよび／または角度を調整可能である。例えば、ベースは、テーブル等の水平面上で支持されることが可能な支持台へ揺動可能に取り付けられてもよい。
【００１４】
顔の若返り装置は、さらに、少なくとも１つの刺激装置、および好ましくは複数の刺激装置を含む。各刺激装置は、ベースの刺激装置開口を通って延び、パッドの刺激装置開口内に取り付けられる。これらの刺激装置は、電動式である少なくとも１つの振動式刺激装置を備えてもよい。刺激装置に給電するための配線は、好ましくはベースまで、および外部電源コードまで延びる。バイブレータの振動を制御するための制御装置は、ベースの側壁に取り付けられてもよい。制御装置は、好ましくは、オン／オフスイッチを含む。しかしながら、タイマまたは振動の振幅または振動数を制御するための手段等の他の制御装置が装備されてもよい。代替として、または追加的に、刺激装置は、少なくとも１つのヒータおよび／または少なくとも１つの水分の供給源を含んでもよい。
【００１５】
顔の若返り装置は、さらに、パッドの凹部に取り外し可能に位置合わせすることができる非通気性ゴム製またはプラスチック製被覆材を含む。この被覆材は、好ましくは、概してパッド内凹部の形状に適合する凸状の裏面と、凹状の表面とを有する。被覆材は、好ましくはシリコーンで形成され、かつ装置を使用する人の顔の形状に合わせて十分に変形可能である。被覆材は、パッド呼吸開口と向き合う少なくとも１つの被覆材呼吸開口を含むが、パッドの刺激装置開口と向き合う開口を必要としない。しかしながら、所定の実施形態は、ベース内の加湿用刺激装置からパッドを介して装置を使用する人の顔へと水分を届けることができるように、細孔を有する場合がある。
【００１６】
本装置のパッドおよびベースは、定期的な修繕、保全またはクリーニングのために限って分解されるサブアセンブリを規定するように部分的に組み立てられていてもよい。しかしながら、被覆材は、好ましくは装置を使用する度に取り外される。より具体的には、被覆材の凸状裏面は、好ましくはベース内の凹部へ嵌め込まれる。被覆材の凹面へは、保湿クリームが塗布されてもよい。装置を使用する人は、次に、顔の位置を被覆材の凹部に合わせ、制御装置を操作して顔を刺激する。刺激には、振動、加熱および／または加湿が含まれてもよい。
【図面の簡単な説明】
【００１７】
【図１】図１は、本発明装置のベースおよび支持台を示す側面立体図である。
【図２】図２は、図１に示されている支持台の正面立体図である。
【図３】図３は、刺激装置が突き出ているベースの平面図である。
【図４】図４は、パッドの平面図である。
【図５】図５は、パッドの側面図である。
【図６】図６は、被覆材の底面図である。
【図７】図７は、組み合わされた状態にあるベース、パッドおよび刺激装置を示す平面図である。
【図８】図８は、図７における線８−８に沿った断面図であり、パッド内の凹部（パッド凹部）に入れ子式に組み入れられた被覆材を示している。
【発明を実施するための形態】
【００１８】
本発明による顔の若返り装置は、図１および図８において概して数字１０で識別されている。顔の若返り装置１０は、ベース１２と、支持台１４とを含む。支持台１４は、テーブルＴ上へ取り付けられるように構成され、かつベース１２は、ベース１２のテーブルＴに対する角度方向を調整するように支持台１４上で調整可能に支持される。より具体的には、支持台１４は、図２に示されているように、底壁１６と、底壁１６から上へ概ね垂直に、よって互いに対して概ね平行に突出する側壁１８とを備える概ねＵ字形の構造体である。各側壁１８は、内部に切欠き２２が形成されている弧状の溝２０を備えている。
【００１９】
ベース１２は、概ねボックス形の構造体であり、対向する両側面２４は、支持台１４の側壁１８間の間隔より僅かに少ない距離で互いに隔たっている。また、ベース１２は、表面２６、裏面２８および上部３０も含む。両側壁２４のベース１２の表面２６に近い部分は、支持台１４の側壁１８へ、ピボットピン３２を中心にして揺動可能に取り付けられる。ピボットピン３２は、弧状の溝２０に対して概ね同心的に配置される。ベース１２は、さらに、ベース１２の側壁２４から外側へ突出する調整用ハンドル３４を含む。調整用ハンドル３４は、ベース１２が支持台１４に対して相対的に回転するときに弧状の溝２０を通って移動することができ、かつベース１２が支持台１４に対して所望される角度方向にあるときに切欠き２４と解放可能に係合されることが可能である。
【００２０】
ベース１２の上部３０は、周枠３６と、周枠３６から内側へ向かう窪み３８とを含む。窪み３８は、周枠３６に隣接する、概して平坦な部分４０と、平坦部分４０の内側にある概ね楕円形のベース凹部４２とを含む。ベース凹部４２は、典型的な人の顔の大きさより大きく、かつ装置１０を取り囲む外気の連通を提供するためにベース１２を介してベース１２の外部エリアまで広がるベース呼吸開口４４を含む。またベース凹部４２は、ベースの額刺激装置開口４６およびベースの頬刺激装置開口４８も含む。
【００２１】
刺激装置５０は、ベースの刺激装置開口４６および４８を介してベース凹部４２内へ突出する。図示されている実施形態における刺激装置５０は、電動式バイブレータである。図３において、バイブレータ５０へ電力を送る配線は、概して文字Ｗにより識別される。電力ケーブルＣは、ベース内部の配線Ｗへ、かつベース１２の一方の側壁２４上、または表面２６上でアクセス可能な制御ユニット５２へ接続される。制御ユニット５２は、好ましくは、オン／オフスイッチと、タイミング制御装置と、振動の振幅および／または振動数を調整するための制御装置とを含む。電力ケーブルＣは、外部電源へ接続可能である。本明細書に例示されかつ記述されている刺激装置５０はバイブレータであるが、刺激装置５０は、ヒータおよび／または蒸気発生器を備えてもよい。
【００２２】
顔の若返り装置１０は、さらに、図４および図５において最も明瞭に示されているようなパッド５４を含む。パッド５４は、上面５６と、底面５８と、側面６０とを含む。パッド５４は、好ましくは、柔軟な弾性発泡体から形成される。上面５６の側面６０に隣接する部分は、概して平坦な部位６２を画定する。しかしながら、上面５６の平坦部位６２の内側には、凹部６４が形成される。凹部６４は、概して人の顔の大きさおよび形状に適合し、よって概ね楕円形である。底面５８は、凹部６４の反対側に凸状領域６６を含む。凸状領域６６は、ベース１２内のベース凹部４２に概ね嵌り込む大きさにされる。
【００２３】
パッド５４は、ベース呼吸開口４４と向き合う位置でパッド５４を介して延びるパッド呼吸開口６８を含む。しかしながら、パッド呼吸開口は、装置１０を使用する人の鼻を嵌め込むように構成される上向きの領域を有する。また、パッド５４は、各々ベースの額刺激装置開口４６およびベースの頬刺激装置開口４８と向き合うパッドの額刺激装置開口７０およびパッドの頬刺激装置開口７２も含む。パッドの額刺激装置開口７０およびパッドの頬刺激装置開口７２は、刺激装置５０を受け入れるように構成される。
【００２４】
顔の若返り装置１０は、さらに、被覆材８０を含む。被覆材８０は、柔軟な非通気性材料から形成され、かつ好ましくは１ｃｍ未満の厚さ、最も好ましくは約０．５ｃｍの厚さを有するシリコーンで形成される。被覆材８０は、パッド５４の凹部６４へ嵌め込まれるように構成される凸状の下面８２と、下面とは反対側の凹状の上面８４とを有する。被覆材８０は、さらに、パッド呼吸開口６８およびベース呼吸開口４４と向き合うように配置される被覆材呼吸開口８６を含む。しかしながら、被覆材８０は、刺激装置５０を受け入れるための開口を含まない。しかしながら、所定の実施形態において、被覆材８０の一部は、被覆材８０を介する蒸気の流れを受け入れるための細孔を含む場合がある。
【００２５】
顔の若返り装置１０のベース１２、支持台１４およびパッド５４は、典型的には、修繕、保全またはクリーニングのために限って定期的に分解されるサブアセンブリを規定するように部分的に組み立てられる。しかしながら、被覆材８０は、使用毎に交換される。より具体的には、被覆材８０の凸状の下面８２は、パッド５４の凹部６４に嵌め込まれる。保湿クリームまたは他の流動性溶液が、被覆材８０の凹状の上面８４へ塗布されてもよい。ベース１２は、支持台１４に対してユーザに心地よい適切な角度へ調整されてもよい。ユーザは、次に、被覆材の凹状の上面８４に顔を置き、制御ユニット５２の制御装置を用いて装置１０をオンにする。バイブレータ５０は、顔全体にわたって、かつ具体的には額および頬部位で感じることのできる、発泡体パッドおよび被覆材８０の振動を発生させる。顔の若返り装置１０を使用し終わると、ユーザまたはオペレータは被覆材８０を取り外し、かつ次の使用のために少なくとも被覆材８４の凹状上面８４を清掃する。
【００２６】
本明細書における開示は、特定の例示的な実施形態を参照して記述されているが、これらの実施形態が本開示の原理および応用を単に例示するものであることは理解されるべきである。したがって、これらの実施形態に対しては、添付の請求の範囲に規定されている本開示の精神および範囲を逸脱することなく、多くの変更が行われてもよく、かつ他の調整が考案されてもよい。
【図１】
0006013485.tif 000002
【図２】
0006013485.tif 000003
【図３】
0006013485.tif 000004
【図４】
0006013485.tif 000005
【図５】
0006013485.tif 000006
【図６】
0006013485.tif 000007
【図７】
0006013485.tif 000008
【図８】
0006013485.tif 000009